(57)【要約】【課題】ユーザが光及び／又は音を認識できる範囲外に位置する場合であっても、その存在位置を検知させることができる遺失物検知器及び遺失物検知システムを提供する。【解決手段】遺失物検知器３は、所定の時間間隔で位置情報を取得し、当該位置情報を基地局６及びインターネット１を介してサーバ４へ送信する。サーバ４は、遺失物検知器３が送信した位置情報を受信する都度、データベース５における当該遺失物検知器３のＩＤに対応するメールボックスの位置情報を更新する。サーバ４は、インターネット１を介して携帯端末２からの電子メールを受信すると、データベース５内の該当するメールアドレスのメールボックスに記憶してある位置情報を読み出し、該当する部分の地図データと合成して、当該メールアドレスの携帯端末２へインターネット１を介して返信する。【選択図】図１
2005217922.tif 000002
【特許請求の範囲】
【請求項１】
任意の信号を送信可能な携帯端末と、この携帯端末が送信した所定信号を受信したときに、検知対象の遺失物の位置を検知させる遺失物検知器とを備える遺失物検知システムにおいて、
前記携帯端末は、遺失物の検知命令をインターネットを介して送信可能にしてあり、
更に、複数の携帯端末の各アドレスに対応して情報が記録可能なデータベースと、インターネットに接続してあり、前記データベースを管理するサーバとを備え、
前記遺失物検知器は、インターネットを介して前記サーバと情報の送受信が可能な送受信部と、当該遺失物検知器が存在する位置情報を前記送受信部を介して取得する手段と、取得した位置情報を前記送受信手段から前記サーバへ返信させる返信手段とを具備し、
前記サーバは、前記インターネットを介して前記携帯端末から遺失物検知器に対応するメールアドレスに遺失物の検知命令が与えられた場合、遺失物検知器から返信された位置情報を、遺失物の検知命令を送信した携帯端末へ返信する手段とを具備することを特徴とする遺失物検知システム。
【請求項２】
前記遺失物検知器は、外部を撮像する撮像部を更に備え、前記返信手段は、撮像部が撮像して得られた画像情報を前記位置情報と共に送信させるようにしてあり、
前記サーバは、更に、遺失物検知器から画像情報が返信された場合、それを位置情報と共に前記携帯端末へ返信するようにしてある請求項１記載の遺失物検知システム。
【発明の詳細な説明】
【技術分野】
【０００１】
本発明は、遺失物を離隔位置から検知させることができる遺失物検知器を用いて当該遺失物を離隔位置で検知することができるシステムに関する。
【背景技術】
【０００２】
財布及び車キー等、所要の物品に報知手段及びそう受信手段を内蔵する検知器を取付けておき、当該物品を遺失した場合、離隔位置から所定の信号を前記検知器へ送信し、当該信号を受信した場合、検知器の報知手段が作動して音及び／又は光で報知させるようにしたものが開発されている。
【０００３】
そのような検知器として、特許文献１には次のようなものが開示されている。すなわち、検知器は、ポケットベル機能を有する本体に、物品に取付けるための環状の取付け金具を一端に固定した紐体を繋止してなり、前記本体には、外部へ光を出射する発光部、外部へ音を出力するスピーカ等が設けてある。かかる検知器によって遺失物の位置をユーザに検知させるには、ユーザは、検知器を予め所要の物品に取付けておき、当該物品を遺失した場合、当該検知器に対応して予め登録してある番号に電話し、電話会社は、電話された番号の情報を含む起動命令を無線送信する。検知器には、前記登録した番号が予め設定してあり、当該番号を含む起動命令を受信した場合、前記発光部を発光させると共に、スピーカから所定の音を出力させる。
【特許文献１】特開平１１−３１３１３９号公報
【発明の開示】
【発明が解決しようとする課題】
【０００４】
しかし、このような従来の検知器にあっては、ユーザが検知器から出力された光及び／又は音を認識できる範囲に位置していなければならず、かかる範囲外では、ユーザにその位置を検知させることができないという問題があった。
【０００５】
本発明は、斯かる事情に鑑みてなされたものであって、ユーザが光及び／又は音を認識できる範囲外に位置する場合であっても、その存在位置を検知させることができる遺失物検知システムを提供する。
【課題を解決するための手段】
【０００６】
請求項１記載の本発明は、任意の信号を送信可能な携帯端末と、この携帯端末が送信した所定信号を受信したときに、検知対象の遺失物の位置を検知させる遺失物検知器とを備える遺失物検知システムにおいて、前記携帯端末は、遺失物の検知命令をインターネットを介して送信可能にしてあり、更に、複数の携帯端末の各アドレスに対応して情報が記録可能なデータベースと、インターネットに接続してあり、前記データベースを管理するサーバとを備え、前記遺失物検知器は、インターネットを介して前記サーバと情報の送受信が可能な送受信部と、当該遺失物検知器が存在する位置情報を前記送受信部を介して取得する手段と、取得した位置情報を前記送受信手段から前記サーバへ返信させる返信手段とを具備し、前記サーバは、前記インターネットを介して前記携帯端末から遺失物検知器に対応するメールアドレスに遺失物の検知命令が与えられた場合、遺失物検知器から返信された位置情報を、遺失物の検知命令を送信した携帯端末へ返信する手段とを具備することを特徴とする。
【０００７】
請求項２記載の本発明は、前記遺失物検知器は、外部を撮像する撮像部を更に備え、前記返信手段は、撮像部が撮像して得られた画像情報を前記位置情報と共に送信させるようにしてあり、前記サーバは、更に、遺失物検知器から画像情報が返信された場合、それを位置情報と共に前記携帯端末へ返信するようにしてあることを特徴とする。
【発明の効果】
【０００８】
本発明では、ユーザが光及び／又は音を認識できる範囲外に位置する場合であっても、ユーザはインターネットを介して遺失物検知器から、その存在する位置を検知することができる。
【発明を実施するための最良の形態】
【０００９】
本発明に係る遺失物検知システムは、任意の信号を送信可能な携帯端末と、この携帯端末が送信した所定信号を受信したときに、検知対象の遺失物の位置を検知させる遺失物検知器とを備え、この携帯端末は、遺失物の検知命令をインターネットを介して送信可能にしてある。更に、遺失物検知システムは、複数の携帯端末の各アドレスに対応して情報が記録可能なデータベースと、インターネットに接続してあり、前記データベースを管理するサーバとを備えている。
【００１０】
遺失物検知器は、インターネットを介して前記サーバと情報の送受信が可能な送受信部と、当該遺失物検知器が存在する位置情報を前記送受信部を介して取得する手段と、取得した位置情報を前記送受信手段から前記サーバへ返信させる返信手段とを具備している。例えば、この送受信部は適宜の時間間隔で前記サーバにインターネットを介してアクセスするようにしてあり、その都度、返信手段は、取得した位置情報を前記送受信手段から前記サーバへ返信させる。一方、返信手段は、前記送受信部に前記サーバから所定の要求が送信された場合、取得した位置情報を前記送受信手段から前記サーバへ返信させるようにしてもよい。この場合、遺失物検知器は、サーバから所定の要求が送信されるまで、待機状態になるようにしてもよい。
【００１１】
そして、サーバは、前記インターネットを介して前記携帯端末から遺失物検知器に対応するメールアドレスに遺失物の検知命令が与えられた場合、前記データベースの対応するアドレスに、位置情報が記憶されているときはそれを遺失物の検知命令を送信した携帯端末へ返信し、または、位置情報を返信させる命令を遺失物検知器へ送信し、遺失物検知器から返信された位置情報を遺失物の検知命令を送信した携帯端末へ返信する。また、サーバは、検知命令が与えられたことを示すフラグ、又は後述する返信要求等、所定の情報を記録させ、かかる所定の情報が記録されたアドレスに係る遺失物検知器からアクセスされた場合、その遺失物検知器へ位置情報を返信させる要求を与え、遺失物検知器から位置情報が返信された場合、それを遺失物の検知命令を送信した携帯端末へ返信するようにしてもよい。
【００１２】
これによって、ユーザが光及び／又は音を認識できる範囲外に位置する場合であっても、ユーザはインターネットを介して遺失物検知器から、その存在する位置を検知することができる。
【００１３】
この遺失物検知器は、外部を撮像する撮像部を更に備え、この撮像部が撮像して得られた画像情報を前述した位置情報と共に送信させるようにしてある。
【００１４】
これによって、ユーザは、位置情報に加えて、遺失物検知器の周囲の画像を視認することによって遺失物検知器の存在位置を詳細に検知することができる。
【００１５】
以上のように遺失物検知用のサーバは、遺失物検知器からの位置情報を受信する都度、複数の携帯端末の各アドレスに対応して情報が記録可能なデータベースの対応するアドレスに記憶してある位置情報を、受信した位置情報に更新する手段と、インターネットを介して携帯端末から遺失物検知器に対応するメールアドレスに遺失物の検知命令が与えられた場合、前記データベースの対応するアドレスに記録されている位置情報を、遺失物の検知命令を送信した携帯端末へ返信する手段を具備するものである。
【００１６】
また、サーバは、インターネットを介して携帯端末から遺失物検知器に対応するメールアドレスに遺失物の検知命令が与えられた場合、当該アドレスに対応する遺失物検知器へ位置情報を返信させる要求を与える手段と、遺失物検知器から位置情報が返信された場合、それを遺失物の検知命令を送信した携帯端末へ返信する手段とを具備するものである。
【００１７】
更に、サーバは、インターネットを介して携帯端末から当該携帯端末のアドレスを受信すると共に、遺失物検知器に対応するメールアドレスに遺失物の検知命令が与えられた場合、複数の携帯端末の各アドレスに対応して情報が記録可能なデータベースの対応するアドレスに所定の情報を記録させる手段と、所定の情報が記録されたアドレスに係る遺失物検知器からアクセスされた場合、その遺失物検知器へ位置情報を返信させる要求を与える手段と、遺失物検知器から位置情報が返信された場合、それを遺失物の検知命令を送信した携帯端末へ返信する手段とを具備するものである。
【００１８】
一方、遺失物検知用のサーバは、遺失物検知器へ、前記要求と共に画像情報の返信の要求を与えるようにしてあり、遺失物検知器から画像情報が返信された場合、それを位置情報と共に前記携帯端末へ返信するようにしてある。
【００１９】
これによって、ユーザが光及び／又は音を認識できる範囲外に位置する場合であっても、ユーザはインターネットを介して遺失物検知器から、その存在する位置を検知することができるシステムを構築することができる。更に、位置情報に加えて、遺失物検知器の周囲の画像を視認することによって遺失物検知器の存在位置を詳細に検知するシステムを構築することもできる。
【００２０】
以下、本発明に係る実施例を図面に基いて詳述する。
【実施例１】
【００２１】
図１は、本発明に係る遺失物検知システムの構成を説明する説明図であり、図中、１はインターネットである。インターネット１には、ユーザが有する携帯電話といった携帯端末２、及び適宜の物品Ｍに取付けられ、前記物品Ｍが遺失された場合にその位置をユーザに検知させる遺失物検知器３が基地局６，６を介して接続し得るようになっており、また、後述するデータベース５を管理するサーバ４も接続し得るようになっている。この遺失物検知器３には識別番号（ＩＤ）が割り付けてあり、この識別番号は携帯端末２のメールアドレスに対応付けてある。なお、携帯端末２のメールアドレス及び遺失物検知器３の識別番号は、相互に対応付けてデータベース５に登録してある。そして、携帯端末２、遺失物検知器３及びサーバ４は、次のようにして遺失物が存在する位置をユーザに検知させる。
【００２２】
図２は、図１に示した携帯端末２、サーバ４及び遺失物検知器３が遺失物の存在位置をユーザに検知させる手順を示すフローチャートである。ユーザは、車キー及び財布等、ユーザの所要の物品Ｍに遺失物検知器３を予め取付けておく。
【００２３】
遺失物検知器３内には、ＧＰＳ（Global  Positioning  System）信号から緯度・経度の位置情報を算出するＧＰＳモジュールが配設してあり、遺失物検知器３は、所定の時間間隔（例えば、毎１０分）でアンテナ７からのＧＰＳ信号を受信して、ＧＰＳモジュールの演算結果たる位置情報を取得し、当該位置情報を基地局６及びインターネット１を介してサーバ４へ送信する（ステップＳ２１）。
【００２４】
サーバ４は、遺失物検知器３が送信した位置情報を受信する（ステップＳ１１）都度、データベース５における当該遺失物検知器３のＩＤに対応するメールアドレスの記憶領域（メールボックス）に記憶させ、当該メールボックスの位置情報を更新する（ステップＳ１２）。
【００２５】
ユーザは、物品Ｍを遺失した場合、携帯端末２から基地局６及びインターネット１を介してサーバ４へ、遺失物検知命令（電子メール）を送信させる。携帯端末２は、かかる電子メール及びその送信指令が入力されると、当該携帯端末２のメールアドレス及び遺失物検知命令を、基地局６及びインターネット１を介してサーバ４へ送信する（ステップＳ１）。
【００２６】
サーバ４には、予め地図データが設定してあり、サーバ４は、インターネット１を介して前記携帯端末２からの電子メールを受信する（ステップＳ１２）と、データベース５内の該当するメールアドレスのメールボックスに記憶してある位置情報を読み出し、該当する部分の地図データと合成して、当該メールアドレスの携帯端末２へインターネット１を介して返信する（ステップＳ１３）。
【００２７】
携帯端末２は、合成された位置情報を受信すると（ステップＳ２）、表示部に地図及びマークを表示する（ステップＳ３）ことによって、ユーザに遺失物検知器３の存在位置、即ち遺失した物品Ｍの存在位置を検知させる。
【００２８】
これによって、遺失物検知器３はそれが、ユーザが光及び／又は音を認識できる範囲外に存在する場合であっても、その存在位置をユーザに検知させることができる。一方、遺失物検知器３がＧＰＳ信号を受信できない場所に遺失された場合であっても、遺失物検知器３から最後に送信された位置情報がデータベース５に記録されており、かかる位置情報から物品Ｍの位置を想定することができる。
【実施例２】
【００２９】
図３は、他の遺失物検知手順を示すフローチャートである。
【００３０】
携帯端末２は、遺失物検知命令及びその送信指令が入力されると、当該携帯端末２のメールアドレス及び遺失物検知命令を、基地局６及びインターネット１を介してサーバ４へ送信する（ステップＳ１ａ）。
【００３１】
サーバ４は、メールアドレスを受信すると共に、遺失物検知器に対応するメールアドレスへの遺失物検知命令を受信する（ステップＳ１１ａ）と、データベース５内の該当するＩＤを読み出し、そのＩＤの遺失物検知器３へ、その存在位置を示す位置情報の返信を要求する命令をインターネット１基地局６を介して送信する（ステップＳ１４ａ）。
【００３２】
遺失物検知器３はかかる命令を受信する（ステップＳ２２ａ）と、例えば携帯電話ネットワークの基地局６を介して、当該携帯電話ネットワークによる測位システムへ、当該遺失物検知器３が存在する位置を示す位置情報（地図情報に存在位置を表すマークが付されている場合もある）を返信させる命令を送信し（ステップＳ２３ａ）、当該位置情報が返信されるとそれを取得して（ステップＳ２４ａ）、内部のメモリに一時的に記憶する。そして、遺失物検知器３は、メモリに記憶した位置情報を基地局６及びインターネット１を介して前記サーバ４へ返信する（ステップＳ２５ａ）。
【００３３】
サーバ４は、遺失物検知器３からの返信を受信すると（ステップＳ１５ａ）、返信された位置情報をユーザの携帯端末２へ、インターネット１及び基地局６を介して返信する（ステップＳ１６ａ）。
【００３４】
携帯端末２は、前記位置情報を受信すると（ステップＳ２ａ）、表示部に地図及びマークを表示する（ステップＳ３ａ）ことによって、ユーザに遺失物検知器３の存在位置、即ち遺失した物品Ｍの存在位置を検知させる。
【００３５】
これによって、前同様、遺失物検知器３はそれが、ユーザが光及び／又は音を認識できる範囲外に存在する場合であっても、その存在位置をユーザに検知させることができる。一方、サーバ４と遺失物検知器３との間の通信は必要なときだけ接続されるので、課金される通信料を低減させることができる。
【実施例３】
【００３６】
図４は、更に他の遺失物検知手順を示すフローチャートである。携帯端末２は、遺失物検知命令及びその送信指令が入力されると、当該携帯端末２のメールアドレス及び遺失物検知命令を、基地局６及びインターネット１を介してサーバ４へ送信する（ステップＳ１ｂ）。
【００３７】
サーバ４は、メールアドレスを受信すると共に、遺失物検知器に対応するメールアドレスへの遺失物検知命令を受信する（ステップＳ１１ｂ）と、データベース５の該当するメールアドレスのメールボックスに遺失物検知命令を記憶させる（ステップＳ１２ｂ）。
【００３８】
一方、サーバ４には遺失物検知器３から、所定の時間間隔（例えば、毎１０分）でインターネット１を介してアクセスされるようになっており（ステップＳ２１ｂ）、サーバ４は、遺失物検知器３からのアクセスを受認した場合（ステップＳ１３ｂ）、当該遺失物検知器３の識別情報に対応するメールアドレスのアドレスボックスを検査して、そこに遺失物検知命令が記憶されているか否かを判断し、当該命令が記憶されている場合、遺失物検知器３の存在位置を示す位置情報の返信を要求する命令を遺失物検知器３へインターネット１及び基地局６を介して送信する（ステップＳ１４ｂ）。
【００３９】
遺失物検知器３はかかる命令を受信する（ステップＳ２２ｂ）と、例えば携帯電話ネットワークの基地局６を介して、当該携帯電話ネットワークによる測位システムへ、当該遺失物検知器３が存在する位置を示す位置情報を返信させる命令を送信し（ステップＳ２３ｂ）、当該位置情報が返信されるとそれを取得して（ステップＳ２４ｂ）、内部のメモリに一時的に記憶する。そして、遺失物検知器３は、メモリに記憶した位置情報をインターネット１を介して前記サーバ４へ返信する（ステップＳ２５ｂ）。
【００４０】
サーバ４は、遺失物検知器３からの返信を受信すると（ステップＳ１５ｂ）、返信された位置情報をユーザの携帯端末２へ、インターネット１を介して返信する（ステップＳ１６ｂ）。
【００４１】
携帯端末２は、前記位置情報を受信すると（ステップＳ２ｂ）、表示部に地図及びマークを表示する（ステップＳ３ｂ）ことによって、ユーザに遺失物検知器３の存在位置、即ち遺失した物品Ｍの存在位置を検知させる。
【００４２】
これによって、前同様、遺失物検知器３はそれが、ユーザが光及び／又は音を認識できる範囲外に存在する場合であっても、その存在位置をユーザに検知させることができる。一方、遺失物検知器３は、所定の時間間隔でサーバ４にアクセスするため、消費電力を少なくすることができる。また、遺失物検知器３は、サーバ４にアクセスする都度、位置情報を取得する必要がないため、消費電力を更に少なくすることができる。一方、遺失物検知器３は、ＧＰＳモジュールを内蔵しなくもよいため、遺失物検知器３の製造コストを可及的に低減することができる。このように、消費電力が少なく、ＧＰＳモジュールを内蔵しなくもよいため、遺失物検知器３を可及的にコンパクトにすることができる。
【実施例４】
【００４３】
図５は、他の遺失物検知器を示す外観斜視図であり、図６は、図５に示した遺失物検知器３ａの構成を示すブロック図である。なお、両図において、互いに対応する部分には同じ番号を付してある。図５及び図６に示した如く、遺失物検知器３ａは、正面視が略短冊形をなしその厚さが比較的薄い筐体４０を備えている。筐体４０の四角部の内の一つの部分には、筐体４０の厚さ方向の中間部分を切り欠いた切欠き部が設けてあり、この切欠き部を跨ぐように支持バー４１が架設してある。この支持バー４１には、図１に示した物品Ｍに取付けるための環状の取付け具４２がその一端に連結してある紐体の他端が繋止してある。
【００４４】
一方、筐体４０の他の角部には、当該角部の全体を切り欠いた切欠き部が設けてあり、この切欠き部内に、外部に対して発光により報知する第１ＬＥＤ３１を配設すると共に、赤色等の有色又は無色のカバー部材が切欠き部に嵌合固定してある。また、筐体４０の内部には、外部に対して発音により報知するスピーカ３４が内臓されており、筐体４０の正面であってスピーカ３４に対向する部分には、スピーカ３４からの音を外部へ漏出させるための複数のスリットが開設してある。
【００４５】
また、筐体４０内には、ＣＣＤといった撮像素子を備える撮像部３３が配設してあり、筐体４０の側面に開設した貫通孔には、前記撮像部３３のレンズが内嵌してある。この筐体４０の側面であって撮像部３３のレンズの近傍には、第２ＬＥＤ３２が撮像部３３の撮像領域へ投光するように埋設してある。
【００４６】
更に、筐体４０内には、前述したデータ及び命令の送受信を行う送受信部３６、及び該送受信部３６が受信した位置情報を一時的に記憶するメモリ３７も配設してあり、これら送受信部３６及びメモリ３７、並びに前述した第１ＬＥＤ３１、第２ＬＥＤ３２、撮像部３３及びスピーカ３４の動作はＭＰＵ（Micro  Processing  Unit）３０によって制御してある。また、これらにはバッテリ３８から給電されるようになっている。
【００４７】
このような遺失物検知器３ａを用いた遺失物検知システムの構成及びその動作手順は、図１から図４と同様であるが、本実施例にあっては、遺失物検知器３ａのＭＰＵ３０は、第２ＬＥＤ３２から投光させると共に、撮像部３３を作動させて遺失物検知器３ａの周囲の静止画又は動画を得、得られた画像情報を前述した位置情報と共に送受信部３６からインターネット１を介してサーバ４（共に図１参照）へ送信させる。
【００４８】
そして、サーバ４は、遺失物検知器３ａから受信した位置情報及び画像情報をインターネット１及び基地局６を介して携帯端末２へ送信し、携帯端末２は、表示部に地図及びマークを表示する一方、ユーザによって画像表示指令が入力された場合、サーバ４から受信した画像を表示部に表示する。
【００４９】
ユーザは、携帯端末２の表示部に表示された地図及びマーク、並びに画像に基いて、遺失物検知器３ａの近傍、即ち遺失した物品Ｍ（図１参照）の近傍に位置すると判断した場合、携帯端末２を用いてサーバ４へ発報命令を送信する。遺失物検知器３ａは、サーバ４にアクセスした場合に発報要求が与えられると、第１ＬＥＤ３１を点滅させると共にスピーカ３４から所定の警報音又は音声を出力させる。
【００５０】
これによって、ユーザは遺失物検知器３ａの存在位置、即ち遺失した物品Ｍの存在位置を短時間で探索することができる。
【００５１】
なお、図１に示した遺失物検知器３の構成は、撮像部３３及び第２ＬＥＤ３２を具備しない一方、ＧＰＳモジュールを備える以外は、図６に示した構成と同じである。
【図面の簡単な説明】
【００５２】
【図１】本発明に係る遺失物検知システムの構成を説明する説明図である。
【図２】図１に示した携帯端末、サーバ及び遺失物検知器が遺失物の存在位置をユーザに検知させる手順を示すフローチャートである。
【図３】他の遺失物検知手順を示すフローチャートである。
【図４】更に他の遺失物検知手順を示すフローチャートである。
【図５】他の遺失物検知器を示す外観斜視図である。
【図６】図３に示した遺失物検知器の構成を示すブロック図である。
【符号の説明】
【００５３】
１    インターネット
２    携帯端末
３    遺失物検知器
３ａ  遺失物検知器
４    サーバ
５    データベース
６    アンテナ
３０    ＭＰＵ
３１    第１ＬＥＤ
３２    第２ＬＥＤ
３３    撮像部
３４    スピーカ
３６    送受信
３７    メモリ
３８    バッテリ
４０    筐体
４１    支持バー
４２    取付け具
Ｍ    物品
【図１】
2005217922.tif 000003
【図２】
2005217922.tif 000004
【図３】
2005217922.tif 000005
【図４】
2005217922.tif 000006
【図５】
2005217922.tif 000007
【図６】
2005217922.tif 000008